(57)【要約】      （修正有）【課題】積載体の上下左右前後姿勢を確かに保ち、物品の加工保管収納搬送を行う装置。【解決手段】積載体１を取り付けて搬送する搬送チェーン７と、それに従動する積載体上下位置方向を保持する積載体の方向を制御する制御チェーン８により積載体の上下左右方向を保持し、したがって積載している物品２８の上下左右方向を確かに保持して搬送を行ない、くわえて、物品の加工保管収納を良好にすることを兼ね備えた装置。【選択図】図１
2017070702.tif 000002
【特許請求の範囲】
【請求項１】
本発明は、洗浄加工を行なう食器、いわゆる、洗浄物品を積載する棚状、または、箱状、および、容器状体（以後、洗浄加工を行なう食器、いわゆる、洗浄物品を単に物品と記し、洗浄加工を加工と記し、物品を積載する棚状、または、箱状、および、容器状体を積載体と記す）を搬送し積載体と積載体に積載している物品を順次、物品を加工する装置に供給、加工を行ない、加工後の物品を搬送、保管収納を行う装置につき、積載体を取り付けた搬送ローラーチェーンと、それに従動して積載体の上下左右前後方向を保持する制御ローラーチェーンにより積載体の上下左右前後方向を確かに保持し、したがって、物品の上下左右姿勢を保持して搬送加工保管収納を行う装置に関し、上下搬送装置の上下旋回部において搬送ローラーチェーンスプロケットと制御ローラーチェーンスプロケットが上下または左右ならびに斜め方向に偏芯することにより、搬送ローラーチェーンと制御ローラーチェーンとが偏芯し、その両者チェーンにより積載体の上下左右前後方向を確かに保持して搬送し、物品の加工と保管収納を兼ね備えた装置に関する。
【発明の詳細な説明】
【技術分野】
【０００１】  本装置は、洗浄加工を行なう食器、いわゆる、洗浄物品を積載する棚状、または、箱状、および、容器状体（以後、洗浄加工を行なう食器、いわゆる、洗浄物品を単に物品と記し、洗浄加工を加工と記し、物品を積載する棚状、または、箱状、および、容器状体を積載体と記す）を搬送し積載体と積載体に積載している物品を順次、物品を加工する装置に供給、加工を行ない、加工後の物品を搬送、保管収納を行う装置につき、積載体を取り付けた搬送ローラーチェーンと、それに従動して積載体の上下左右前後方向を保持する制御ローラーチェーンにより積載体の上下左右前後方向を確かに保持し、したがって、物品の上下左右姿勢を保持して搬送加工保管収納を行う装置に関し、上下搬送装置の上下旋回部において搬送ローラーチェーンスプロケットと制御ローラーチェーンスプロケットが上下または左右ならびに斜め方向に偏芯することにより、搬送ローラーチェーンと制御ローラーチェーンとが偏芯し、その両者チェーンにより積載体の上下左右前後方向を確かに保持して搬送し、物品の加工と保管収納を兼ね備えた装置に関する。そのさい、搬送ローラーチェーンと制御ローラーチェーンに代わりコンベアーチェーン、または特殊チェーン、および歯付きベルト、並びにワイヤロープ等の可撓性材を用いることができる。また、制御ローラーチェーンスプロケットに代わりローラーチェーンガイドレールをもちいることができる。以後、ローラーチェーンまたは、コンベアーチェーン、特殊チェーン、および歯付きベルト、並びにワイヤロープ等の可撓性材を総称してチェーンと記す。なお、以後、搬送ローラーチェーンを搬送チェーンと記し、制御ローラーチェーンを制御チェーンと記し、搬送ローラーチェーンスプロケットを搬送スプロケット、制御ローラーチェーンスプロケットを制御スプロケットと記す。なお、本装置機構を食器洗浄のほかに利用することが可能である。
【背景技術】
【０００２】  従来の食器洗浄装置では個々の洗浄装置に洗浄物品を手作業で個々に出し入れしている。
【発明の概要】
【発明が解決しようとする課題】
【０００３】  本装置による食器の洗浄において、洗浄物品を順次、洗浄槽に供給、洗浄後、水切り、乾燥、滅菌、保管、収納を行う。このさい、洗浄物品を上下方向に搬送する装置の特質を有効にすることができる。
【課題を解決するための手段】
【０００４】  本装置は、ロープウエイやトロリーコンベアーのごとき、乗客体、または、物品等を吊り下げた状態で搬送するのとは異なり、積載体の搖動が少ない装置である。特に、例えば上下動装置において右側で上に移動、上部で旋回して左側に移行するさい積載体の上下左右前後方向を保持する制御チェーンにより積載体が上下左右前後方向を確かに保って移行し、下部で、制御チェーンにより積載体が上下左右前後方向を保って左側に移行する。そのさい、回転部において積載体の重なり状態を解き、積載体の間隔を開いて移行させる。
【発明の効果】
【０００５】  本装置利用による効果は多岐にわたる。食器洗浄のほか、揚げ物の加工。煮物、煮沸物の加工。染色加工。機器の溶接機械加工、塗装加工。その他、本装置機構を諸物の搬送、保管、収納、また、商品の表示、展示に利用をすることが可能である。
【図面の簡単な説明】
【０００６】
【図１】本装置の全体図である。
【図２】図１の上部スプロケット構造の上面視図である
【図３】図２のＡ部図である。
【図４】食器洗浄装置図である。本図においては、殺菌灯を示す。この他、過熱飽和水蒸気をもちいることができる。
【発明を実施するための最良の形態】  以下、本装置の実施の形態を図１から図４に示して説明する。このさい、上下方向運行搬送構造において記す。搬送スプロケットの右側にｘｃｍ偏芯して制御スプロケットを配する構造を示す。そのさい、各チェーンのガイドレール、およびピンのガイドレール図、ならびに、装置カバーは省略する。なお、各スプロケット部構造は上下同構造であるゆえ上部構造を主に記す。
【実施例】
【０００７】図１において、積載体１に取り付けるピン２とバー３、および、ピン４は一体組み立て構造である。ピン２を通すチェーンリンクプレート５の間、およびピン４を通すチェーンリンクプレート６の間は摺動回転可能である。Ｂ列搬送チェーン７は、図において上部搬送スプロケット９にかかり、下部搬送スプロケット１３に掛かる。Ｃ列制御チェーンは、図において上部制御スプロケット１０にかかり下部制御スプロケット１４に掛かる。スプロケット９と１０、および、１３と１４はＸｃｍ偏芯し、Ｂ列搬送チェーンとＣ列制御チェーンもＸｃｍ偏芯している。上部搬送スプロケット９軸に設けた歯付きベルト車１５と制御チェーン駆動スプロケット１８と同軸に設けた歯付きベルト車１７は歯付きベルト１６により同一回転になり、したがって上部搬送スプロケット９と制御チェーン駆動スプロケット１８は同一回転である。
図２の上部手前方側スプロケット構造の上面視図において搬送スプロケット９は軸１１に嵌り、軸１１に駆動電動機１２を接続する。図２のＡ部を示す図においてフレーム２３に制御スプロケットベース２４を固定取り付け、軸１１はフレームと制御スプロケットベースを貫通する構造である。制御スプロケットベース２４の外周は溝形状をなし、この溝に制御スプロケット１０を嵌める。２２のベアリングは軸１１用であり、２５のベアリングは制御スプロケット１０用である。Ａ部構造により搬送スプロケット９と制御スプロケット１０の偏芯距離Ｘｃｍを小にすることを可能にする。２１は制御チェーン駆動用スプロケットであり、２７の駆動電動機により回転する。このさい、１５と１７の歯付きベルト車に代わりローラーチェーンスプロケットを用い、歯付きベルト１６に代わりローラーチェーンを用いることができる。
【産業上の利用可能性】
【０００８】  本装置利用による効果は多岐にわたる。食器洗浄において、学校給食、病院給食、給食業者、レストランにおける利用。そのほか、揚げ物の加工。煮物、煮沸物の加工。染色加工。機械加工。塗装加工。なお、加工を伴わない、諸物の搬送、保管、収納、商品の展示、表示に利用可能である。
【符号の説明】
【００９】１    積載体
２    ピン（１）
３    バー
４    ピン（２）
５    Ｂ列、搬送チェーンリンシプレート
６    Ｃ列、制御チェーンリンクプレート
７    Ｂ列、搬送チェーン
８    Ｃ列、制御チェーン
９    上部搬送スプロケット
１０  上部制御スロケット
１１  上部搬送スプロケット駆動軸
１２  上部搬送スプロケット駆動電動機
１３  下部搬送スプロケット
１４  下部制御スロケット
１５  上部搬送スプロケット軸取り付け歯付きベルト車
１６  制御スプロケット駆動用歯付きベルト
１７  制御スプロケット駆動用歯付きベルト車
１８  制御チェーン駆動スプロケット
２１  フレーム
２２  搬送スプロケット駆動軸用ベアリング
２３  フレーム
２４  制御スプロケットベース
２５  制御スプロケット用ベアリング
２８  加工保管収納物品
２９  装置ケース
３０  加工装置部。
３１  殺菌設備（滅菌設備）本図においては殺菌灯。
【図１】
2017070702.tif 000003
【図２】
2017070702.tif 000004
【図３】
2017070702.tif 000005
【図４】
2017070702.tif 000006